(57)【要約】【課題】騒音低減量及び圧力損失値を共に満足し得る換気設備を設計するために、換気用のファンと消音チャンバとの組み合わせの検討を支援することが可能な換気用のファンと消音チャンバとの組み合わせ性能のシミュレーション方法を提供する。【解決手段】送風量及び送風時発生音のファンデータと；送風取入口１ａ及び送風排出口１ｂのサイズを含む消音チャンバ１のサイズが、変更可能に所定ピッチで設定されたチャンバデータと；遮蔽板の配置位置及び当該配置位置での送風経路１ｃの遮蔽面積比が、変更可能に所定ピッチで設定された遮蔽板関連データと；ファンデータ、チャンバデータ及び遮蔽板関連データの相互組み合わせに対応づけされた圧力損失値及び騒音低減量の性能値データと；を含むデータベースを用い、ファンデータ及びチャンバデータに対し、遮蔽板関連データが参照されて、ファンと消音チャンバの組み合わせ性能として性能値データが抽出される。【選択図】図２
2015141297.tif 000002
【特許請求の範囲】
【請求項１】
換気用のファンと、該ファンからの送風が流通する送風取入口と送風排出口の間のいずれかの配置位置に、これら送風取入口と送風排出口とを連通する送風経路に突出して設けられて、当該送風経路の一部を遮蔽する遮蔽板を有する消音チャンバとの組み合わせ性能のシミュレーション方法であって、
選択可能な複数の上記ファンに関する送風量及び送風時の発生音のファンデータと；上記送風取入口のサイズ及び上記送風排出口のサイズを含む上記消音チャンバのサイズが、変更可能に所定ピッチで複数設定されたチャンバデータと；上記遮蔽板の配置位置及び当該配置位置における上記送風経路の遮蔽面積比が、変更可能に所定ピッチで複数設定された遮蔽板関連データと；該ファンデータ、該チャンバデータ及び該遮蔽板関連データの相互の組み合わせに対応づけされた圧力損失値及び騒音低減量の性能値データと；からなる予め作成されたデータベースを用い、
シミュレーション対象となる上記ファン及び上記消音チャンバの上記ファンデータ及び上記チャンバデータに対して、上記遮蔽板の上記遮蔽板関連データが参照されて、これらファンと消音チャンバとの組み合わせ性能として上記性能値データが抽出されることを特徴とする換気用のファンと消音チャンバとの組み合わせ性能のシミュレーション方法。
【請求項２】
シミュレーション対象となる前記ファン及び前記消音チャンバの前記ファンデータ及び前記チャンバデータに基づいて前記性能値データから抽出された圧力損失値及び騒音低減量のうち、圧力損失値が目標圧力損失値よりも小さく、騒音低減量が目標騒音低減量よりも小さいときには、引き続き、第１工程で、前記遮蔽板関連データに基づき、前記遮蔽板を、該消音チャンバの前記送風取入口と前記送風排出口の間の中央に配置して遮蔽面積比を所定ピッチで変更したときの圧力損失値及び騒音低減量が該性能値データから抽出され、
次いで、上記第１工程で抽出された複数の騒音低減量のいずれかが目標騒音低減量よりも大きいときには、その後、第２ａ工程において、該第１工程で抽出された騒音低減量が目標騒音低減量を満足する最小遮蔽面積比について、上記遮蔽板関連データに基づき、上記遮蔽板の配置位置を所定ピッチで変更したときの圧力損失値が上記性能値データから抽出されることを特徴とする請求項１に記載の換気用のファンと消音チャンバとの組み合わせ性能のシミュレーション方法。
【請求項３】
シミュレーション対象となる前記ファン及び前記消音チャンバの前記ファンデータ及び前記チャンバデータに基づいて前記性能値データから抽出された圧力損失値及び騒音低減量のうち、圧力損失値が目標圧力損失値よりも小さく、騒音低減量が目標騒音低減量よりも小さいときには、引き続き、第１工程で、前記遮蔽板関連データに基づき、前記遮蔽板を、該消音チャンバの前記送風取入口と前記送風排出口の間の中央に配置して遮蔽面積比を所定ピッチで変更したときの圧力損失値及び騒音低減量が該性能値データから抽出され、
次いで、上記第１工程で抽出された複数の騒音低減量のいずれかが目標騒音低減量よりも大きいときには、その後、第２ｂ工程において、該第１工程で抽出された騒音低減量が目標騒音低減量を満足する全ての遮蔽面積比について、上記遮蔽板関連データに基づき、上記遮蔽板の配置位置を所定ピッチで変更したときの騒音低減量と圧力損失値が上記性能値データから抽出されることを特徴とする請求項１に記載の換気用のファンと消音チャンバとの組み合わせ性能のシミュレーション方法。
【請求項４】
前記第２ａ工程または前記第２ｂ工程で抽出された複数の圧力損失値のうち、目標圧力損失値よりも小さい最小の圧力損失値に対し、送風量の小さい他の換気用のファンに選択し直してシミュレーション処理がなされ、送風量が最小の換気用のファンが抽出されてシミュレーション処理が終了されることを特徴とする請求項２または３に記載の換気用のファンと消音チャンバとの組み合わせ性能のシミュレーション方法。
【請求項５】
前記第２ａ工程または前記第２ｂ工程で抽出された複数の圧力損失値がいずれも目標圧力損失値よりも大きい場合には、送風量の大きい他の換気用のファンに選択し直してシミュレーション処理がなされることを特徴とする請求項２〜４いずれかの項に記載の換気用のファンと消音チャンバとの組み合わせ性能のシミュレーション方法。
【請求項６】
前記第１工程で抽出された騒音低減量が目標騒音低減量よりも小さい場合には、その後、第３工程において、該第１工程で抽出された圧力損失値が目標圧力損失値を満足する最大遮蔽面積比について、前記遮蔽板関連データに基づき、前記遮蔽板の配置位置を所定ピッチで変更したときの騒音低減量が前記性能値データから抽出されることを特徴とする請求項２〜５いずれかの項に記載の換気用のファンと消音チャンバとの組み合わせ性能のシミュレーション方法。
【請求項７】
前記第３工程で抽出された複数の騒音低減量のいずれかが目標騒音低減量よりも大きいときには、シミュレーション処理が終了され、上記第３工程で抽出された複数の騒音低減量がいずれも目標騒音低減量よりも小さい場合には、送風量の小さい他の換気用のファンに選択し直してシミュレーション処理がなされることを特徴とする請求項６に記載の換気用のファンと消音チャンバとの組み合わせ性能のシミュレーション方法。
【請求項８】
前記第２ａ工程と前記第２ｂ工程とが順次に実行されることを特徴とする請求項３〜７いずれかの項に記載の換気用のファンと消音チャンバとの組み合わせ性能のシミュレーション方法。
【発明の詳細な説明】
【技術分野】
【０００１】
本発明は、騒音低減量及び圧力損失値を共に満足し得る換気設備を設計するために、換気用のファンと消音チャンバとの組み合わせの検討を支援することが可能な換気用のファンと消音チャンバとの組み合わせ性能のシミュレーション方法に関する。
【背景技術】
【０００２】
従来、建物等には、換気設備が備えられている。換気設備は、ファンとファンからの送風が流通する消音チャンバで構成されている。この種の技術として、特許文献１の「消音装置」では、消音装置は、気体流を供給する供給口と、気体流を排出する排出口と、供給口と排出口との間に存在する中空室とをもつ基体と、基体に設けられ基体の中空室を蛇行状に屈曲する蛇行状屈曲通路に仕切る仕切部材とをもつように構成されている。
【０００３】
また、特許文献２の「干渉式消音チャンバ」は、箱体に気体の流入口と流出口とを設け、前記流入口から前記流出口に向かって流れる気体を分流させ、かつ、それら分流気体を互いに異なる長さの通気経路を経て合流させる並列配置の複数の消音用風路からなる並列風路組を、前記流入口を分割する状態に配置した区画部材による箱体内部空間の区画により前記箱体の内部に形成し、前記消音用風路は全て屈折通気経路部分を有する屈折風路にし、気体の流れ向きとその気体中を伝播する消音対象音の伝播向きとが同じ向きであるのに対して、前記並列風路組として、通気経路長さが互いに異なる複数の流入口側の消音用風路からなる流入口側の並列風路組を並列配置で複数組設けるとともに、通気経路長さが互いに異なる複数の流出口側の消音用風路からなる流出口側の並列風路組を設け、前記流入口側の複数組の並列風路組には、その各々を形成する複数の流入口側の消音用風路の気体出口側の端部が集合して位置する合流部を個別に備えさせ、これら個別の合流部は、前記区画部材により区画された互いに異なる箱体内部空間部分に各別に位置させ、前記流出口側の並列風路組を形成する複数の流出口側の消音用風路は、位置が互いに異なる前記個別の合流部の各々を気体入口側の端部とする風路にするように構成されている。
【先行技術文献】
【特許文献】
【０００４】
【特許文献１】特開２００６−１２５２１４号公報
【特許文献２】特許第４５７５１２１号公報
【発明の概要】
【発明が解決しようとする課題】
【０００５】
消音装置は、騒音低減量が大きいほど、また、圧力損失が小さいほど性能が良い。従来、消音装置は、所定の目標性能を満たすように設計・製作されているため、既製の部材を組み合わせて使用する場合、オーバースペックとなり易い。消音装置としての消音チャンバは、効果を得るための形状に制約が少なく、工夫次第で大きな騒音低減性能を得ることができる。
【０００６】
消音チャンバの騒音低減性能を向上させるために、消音チャンバ内に騒音の伝搬を抑制する遮蔽板を設けることが考えられる。遮蔽板で消音装置内の送風経路を遮蔽すると、騒音低減性能が向上するが、必要な送風量が得られない。
【０００７】
換気設備の設計にあたっては、消音チャンバの騒音低減量と圧力損失とを共に考慮する必要がある。これら騒音低減量と圧力損失との関係ではさらに、採用する換気用のファンの送風量や送風時の発生音との組み合わせも検討する必要がある。しかしながら、従来の設計方法では、騒音低減量と圧力損失とを別個に検討しているため、性能が良い換気設備を設計することが難しいという課題があった。
【０００８】
本発明は上記従来の課題に鑑みて創案されたものであって、騒音低減量及び圧力損失値を共に満足し得る換気設備を設計するために、換気用のファンと消音チャンバとの組み合わせの検討を支援することが可能な換気用のファンと消音チャンバとの組み合わせ性能のシミュレーション方法を提供することを目的とする。
【課題を解決するための手段】
【０００９】
本発明にかかる換気用のファンと消音チャンバとの組み合わせ性能のシミュレーション方法は、換気用のファンと、該ファンからの送風が流通する送風取入口と送風排出口の間のいずれかの配置位置に、これら送風取入口と送風排出口とを連通する送風経路に突出して設けられて、当該送風経路の一部を遮蔽する遮蔽板を有する消音チャンバとの組み合わせ性能のシミュレーション方法であって、選択可能な複数の上記ファンに関する送風量及び送風時の発生音のファンデータと；上記送風取入口のサイズ及び上記送風排出口のサイズを含む上記消音チャンバのサイズが、変更可能に所定ピッチで複数設定されたチャンバデータと；上記遮蔽板の配置位置及び当該配置位置における上記送風経路の遮蔽面積比が、変更可能に所定ピッチで複数設定された遮蔽板関連データと；該ファンデータ、該チャンバデータ及び該遮蔽板関連データの相互の組み合わせに対応づけされた圧力損失値及び騒音低減量の性能値データと；からなる予め作成されたデータベースを用い、シミュレーション対象となる上記ファン及び上記消音チャンバの上記ファンデータ及び上記チャンバデータに対して、上記遮蔽板の上記遮蔽板関連データが参照されて、これらファンと消音チャンバとの組み合わせ性能として上記性能値データが抽出されることを特徴とする。
【００１０】
シミュレーション対象となる前記ファン及び前記消音チャンバの前記ファンデータ及び前記チャンバデータに基づいて前記性能値データから抽出された圧力損失値及び騒音低減量のうち、圧力損失値が目標圧力損失値よりも小さく、騒音低減量が目標騒音低減量よりも小さいときには、引き続き、第１工程で、前記遮蔽板関連データに基づき、前記遮蔽板を、該消音チャンバの前記送風取入口と前記送風排出口の間の中央に配置して遮蔽面積比を所定ピッチで変更したときの圧力損失値及び騒音低減量が該性能値データから抽出され、
次いで、上記第１工程で抽出された複数の騒音低減量のいずれかが目標騒音低減量よりも大きいときには、その後、第２ａ工程において、該第１工程で抽出された騒音低減量が目標騒音低減量を満足する最小遮蔽面積比について、上記遮蔽板関連データに基づき、上記遮蔽板の配置位置を所定ピッチで変更したときの圧力損失値が上記性能値データから抽出されることを特徴とする。
【００１１】
シミュレーション対象となる前記ファン及び前記消音チャンバの前記ファンデータ及び前記チャンバデータに基づいて前記性能値データから抽出された圧力損失値及び騒音低減量のうち、圧力損失値が目標圧力損失値よりも小さく、騒音低減量が目標騒音低減量よりも小さいときには、引き続き、第１工程で、前記遮蔽板関連データに基づき、前記遮蔽板を、該消音チャンバの前記送風取入口と前記送風排出口の間の中央に配置して遮蔽面積比を所定ピッチで変更したときの圧力損失値及び騒音低減量が該性能値データから抽出され、
次いで、上記第１工程で抽出された複数の騒音低減量のいずれかが目標騒音低減量よりも大きいときには、その後、第２ｂ工程において、該第１工程で抽出された騒音低減量が目標騒音低減量を満足する全ての遮蔽面積比について、上記遮蔽板関連データに基づき、上記遮蔽板の配置位置を所定ピッチで変更したときの騒音低減量と圧力損失値が上記性能値データから抽出されることを特徴とする。
【００１２】
前記第２ａ工程または前記第２ｂ工程で抽出された複数の圧力損失値のうち、目標圧力損失値よりも小さい最小の圧力損失値に対し、送風量の小さい他の換気用のファンに選択し直してシミュレーション処理がなされ、送風量が最小の換気用のファンが抽出されてシミュレーション処理が終了されることを特徴とする。
【００１３】
前記第２ａ工程または前記第２ｂ工程で抽出された複数の圧力損失値がいずれも目標圧力損失値よりも大きい場合には、送風量の大きい他の換気用のファンに選択し直してシミュレーション処理がなされることを特徴とする。
【００１４】
前記第１工程で抽出された騒音低減量が目標騒音低減量よりも小さい場合には、その後、第３工程において、該第１工程で抽出された圧力損失値が目標圧力損失値を満足する最大遮蔽面積比について、前記遮蔽板関連データに基づき、前記遮蔽板の配置位置を所定ピッチで変更したときの騒音低減量が前記性能値データから抽出されることを特徴とする。
【００１５】
前記第３工程で抽出された複数の騒音低減量のいずれかが目標騒音低減量よりも大きいときには、シミュレーション処理が終了され、上記第３工程で抽出された複数の騒音低減量がいずれも目標騒音低減量よりも小さい場合には、送風量の小さい他の換気用のファンに選択し直してシミュレーション処理がなされることを特徴とする。
【００１６】
前記第２ａ工程と前記第２ｂ工程とが順次に実行されることを特徴とする。
【発明の効果】
【００１７】
本発明にかかる換気用のファンと消音チャンバとの組み合わせ性能のシミュレーション方法にあっては、騒音低減量及び圧力損失値を共に満足し得る換気設備を設計できるように、換気用のファンと消音チャンバとの組み合わせの検討を支援することができる。
【図面の簡単な説明】
【００１８】
【図１】本発明に係る換気用のファンと消音チャンバとの組み合わせ性能のシミュレーション方法の検討対象例である消音チャンバを室内から室外へ向かう方向に沿う面で破断した際の縦断面図である。
【図２】本発明に係る換気用のファンと消音チャンバとの組み合わせ性能のシミュレーション方法の好適な一実施形態における遮蔽面積比７５％となる遮蔽板の一例を示す説明図である。
【図３】本発明に係る換気用のファンと消音チャンバとの組み合わせ性能のシミュレーション方法の好適な一実施形態において、遮蔽板の高さを変えることなく、遮蔽板の配置位置を送風取入口と送風排出口の間で移動させたときの消音チャンバによる騒音低減量と圧力損失値の関係を説明する説明図である。
【図４】本発明に係る換気用のファンと消音チャンバとの組み合わせ性能のシミュレーション方法の好適な一実施形態において、遮蔽板の配置位置を固定して、遮蔽面積比を変更したときの消音チャンバによる騒音低減量と圧力損失値の関係を説明する説明図である。
【図５】本発明に係る換気用のファンと消音チャンバとの組み合わせ性能のシミュレーション方法の好適な一実施形態における初期性能確認工程の処理を示すフローチャートである。
【図６】初期性能確認工程に続く第１工程の処理を示すフローチャートである。
【図７】第１工程に続く第２ａ工程の処理を示すフローチャートである。
【図８】第１工程に続く第３工程の処理を示すフローチャートである。
【図９】図７に示した第２ａ工程に代えて、もしくは加えて実行可能な、第１工程に続く第２ｂ工程の処理を示すフローチャートである。
【発明を実施するための形態】
【００１９】
以下に、本発明にかかる換気用のファンと消音チャンバとの組み合わせ性能のシミュレーション方法の好適な一実施形態を、添付図面を参照して詳細に説明する。図１は、消音チャンバを、室内から室外へ向かう方向に沿う面で破断した際の縦断面図である。図２は、遮蔽面積比７５％となる遮蔽板３の一例を示す図である。
【００２０】
消音チャンバ１は、例えば、建物等の換気部位に設けられ、換気用のファン（図示せず）の送風が流通される。消音チャンバ１は図１に示すように、送風取入口１ａ及び送風排出口１ｂを備え、直方体状の空間を形成する本体部２と、本体部２内に設けられ、後述する送風経路１ｃを遮蔽する遮蔽板３とを有する。本体部２の内面と遮蔽板３の表面とには、吸音材４が貼り付けられる。本実施形態では、吸音材４としてグラスウールを用いているが、これに限るものではない。
【００２１】
本体部２に設けられた送風取入口１ａ及び送風排出口１ｂは、屋内または屋外に臨み、互いに対向する壁部２ａに１つずつ設けられる。これら送風取入口１ａ及び送風排出口１ｂは、上下方向の位置を異ならせて、例えば、屋外側の送風取入口１ａが本体部２の上端側に、屋内側の送風排出口１ｂが本体部２の下端側に配置される。これにより、水平方向には屋内外が見通せないように形成される。
【００２２】
以下の説明では、図１及び図２に示すように、消音チャンバ１の縦断面において、送風取入口１ａ及び送風排出口１ｂの上縁同士及び下縁同士をそれぞれつないで、それらの間にできる筒状の空間を送風経路１ｃという。
【００２３】
送風取入口１ａ及び送風排出口１ｂの上縁同士及び下縁同士をそれぞれつなぐ線同士が、平行とは限らない。従って、送風経路１ｃを室内外方向と直交する面、すなわち送風取入口１ａ及び送風排出口１ｂが設けられている壁部２ａと平行な面で破断したときの送風経路１ｃの断面積Ｓａは、室内外方向における破断位置により相違する。送風経路１ｃは、消音チャンバ１内に遮蔽板３が設けられていない状態で、送風取入口１ａから送風排出口１ｂまで斜めに見通すことができる。
【００２４】
遮蔽板３は、送風取入口１ａ及び送風排出口１ｂの間に、これら送風取入口１ａ及び送風排出口１ｂが設けられている壁部２ａと平行に、本体部２の下面から立設され、その上端部側が送風経路１ｃ内に突出される。消音チャンバ１内に遮蔽板３が設けられると、送風取入口１ａから送風排出口１ｂまで見通すことができない部分、すなわち送風経路１ｃが遮蔽される部分が生じる。
【００２５】
本体部２の送風取入口１ａ及び送風排出口１ｂの間において、遮蔽板３が配置される配置位置に応じて、送風経路１ｃの断面積Ｓａが変化するので、遮蔽板３の高さが一定であっても、遮蔽板３の配置位置により送風経路１ｃが遮蔽板３により遮蔽される面積Ｓｂが変化する。
【００２６】
以下の説明では、遮蔽板３により送風経路１ｃが遮蔽される量は、遮蔽板３の配置位置において、遮蔽板３に沿う面で破断したときの送風経路１ｃの断面積Ｓａに対する、遮蔽板３が送風経路１ｃ内に突出して遮蔽する面積Ｓｂの割合（以下、「遮蔽面積比 [Ｓｂ／Ｓａ] 」という）で示す。
【００２７】
遮蔽面積比は、例えば図３に示すように、ある配置位置Ｉに遮蔽板３を配置したときに、当該配置位置Ｉにおける送風経路１ｃの断面積Ｓａ、すなわち遮蔽板３が無いときに直接音が送風排出口に到達する領域の断面積Ｓａを１００％として、この送風経路１ｃに遮蔽板３が突出する面積Ｓｂが送風経路１ｃの断面積Ｓａの３／４である場合を、遮蔽面積比７５％として示す。
【００２８】
図３は、遮蔽板３の高さを変えることなく、遮蔽板３の配置位置Ｉを、送風取入口１ａ及び送風排出口１ｂの間で移動させたときの消音チャンバ１の騒音低減量及び圧力損失値を示す図である。図３（ａ）及び（ｂ）に示すように、遮蔽板３を移動による騒音低減量及び圧力損失値の変化が一定の傾向を呈するとは、一概には言えない。
【００２９】
図４は、遮蔽板３を所定の配置位置Ｉに固定して、遮蔽面積比を変更（遮蔽板３の高さを変更）したときの消音チャンバ１の騒音低減量及び圧力損失値を示す図である。
【００３０】
図３及び図４に示すように、遮蔽板３の配置位置Ｉ及び遮蔽板３の送風経路１ｃへの突出量（遮蔽面積比）により、消音チャンバ１の騒音低減量及び圧力損失値が変化する。従って、遮蔽板３を設ける際には、遮蔽板３の配置位置Ｉ及び遮蔽板３の送風経路１ｃへの突出量(遮蔽面積比)を合わせて検討する必要がある。
【００３１】
本発明に係る換気用のファンと消音チャンバ１との組み合わせ性能のシミュレーション方法は、選択されたファン及びサイズが所定ピッチで変更可能に設定された消音チャンバ１に対し、騒音低減量及び圧力損失値の双方について、設定された目標値を満たすような、遮蔽板３の配置位置Ｉ及び遮蔽板３の遮蔽面積比を設定することを可能とするものである。
【００３２】
本発明のシミュレーション方法は、キーボードやマウスなどの入力部、ディスプレイやプリンタなどの出力部、演算部や記憶部等を備えたコンピュータの制御部により実現される。
【００３３】
コンピュータの記憶部には、換気用のファンと消音チャンバ１との組み合わせ性能のシミュレーション方法を実現するためのプログラムと、後述するデータベース及び吸音材データベースとが予め記憶されている。
【００３４】
本発明の換気用のファンと消音チャンバ１との組み合わせ性能のシミュレーション方法に用いるデータベースは、「ファンデータ」と、「チャンバデータ」と、「遮蔽板関連データ」と、これらファンデータ、チャンバデータ及び遮蔽板関連データの相互の組合せに対応付けされた「性能値データ」で構成され、予め作成されて記憶部に記憶されている。
【００３５】
「ファンデータ」は、選択可能な複数の換気用のファンそれぞれの送風量及び送風時の発生音の「ファン性能値」のデータである。通常、送風量が大きいと、発生音も大きくなる傾向にある。
【００３６】
「チャンバデータ」は、消音チャンバ１がサイズ変更可能であって、所定ピッチにて変更可能に設定された消音チャンバ１の複数の「サイズ値」のデータである。具体的には、消音チャンバ１のサイズとは、送風取入口１ａ及び送風排出口１ｂの高さを含み、本体部２の幅、高さ、屋内外方向の奥行きである。これら本体部２の幅等の各サイズを示すサイズ値が、例えば５ｃｍピッチで複数設定され、これらサイズ値がチャンバデータを構成する。
【００３７】
「遮蔽板関連データ」は、遮蔽板３の配置位置Ｉ及び当該配置位置Ｉにおける遮蔽面積比であって、所定ピッチにて変更可能に設定された遮蔽板３に関する複数の遮蔽板に関連するデータである。
【００３８】
遮蔽板３の配置位置Ｉは、送風取入口１ａ及び送風排出口１ｂの間隔、すなわち本体部２の奥行きの中央を基準として、送風取入口１ａ側及び送風排出口１ｂ側にそれぞれ、例えば５ｃｍピッチで移動した位置までの距離を示す距離値として複数設定される。距離値としては、送風取入口１ａ及び送風排出口１ｂが設けられている壁部２ａに達するまでの距離が設定される。
【００３９】
遮蔽面積比は、配置位置Ｉに対応する各距離値について、各配置位置Ｉにおいて、遮蔽面積比が０〜１００％まで、例えば５％ピッチで複数設定される。
【００４０】
これら各距離値及び各遮蔽面積比が、すなわち遮蔽板に関連する遮蔽板関連データを構成する。
【００４１】
「性能値データ」は、圧力損失値及び騒音低減量であって、いずれかの「ファン性能値」のファンデータ、いずれかの「サイズ値」のチャンバデータ及びいずれかの「遮蔽板の配置位置及び当該配置位置における遮蔽面積比」の遮蔽板関連データの組合せによって構成される換気用のファンと消音チャンバ１との組み合わせ結果のデータである。性能値データは、ファンデータ、チャンバデータ及び遮蔽板関連データのすべての組み合わせに対して予め作成され、記憶部に記憶されている。性能値データは具体的には、選択した換気用のファンに対し、設定されたチャンバデータのいずれか及び設定された遮蔽板関連データのいずれかを特定することで、換気用のファンと消音チャンバ１との組み合わせ性能として抽出される。
【００４２】
データベースは、各種のファンの性能仕様と、５ｃｍピッチ等の各サイズ値と、各距離値及び各遮蔽面積比を相互に組み合わせた遮蔽板関連値と、各種の消音チャンバ１に対する解析または実験に基づく各騒音低減量及び各圧力損失値のデータとが対応付けられて構成される。
【００４３】
ファンデータ、チャンバデータ及び遮蔽板関連データを相互に組み合わせた、それら各組み合わせに対応する、全ての騒音低減量及び圧力損失値は、全てが解析または実験されたデータでなくてもよく、いくつかの解析及び実験に基づいてそれらの間の値が計算などによって補完されたデータであってもよい。吸音材データベースは、材質が異なる複数種類の吸音材４とそれらの吸音率とが対応付けられる。
【００４４】
本実施形態に係る換気用のファンと消音チャンバ１との組み合わせ性能のシミュレーション方法は例えば、建物等に設備される換気設備に適した換気用のファンと消音チャンバ１の組み合わせを検討するために用いられる。例えば工場などの建物は、設計段階において用途に合わせて、換気用のファンと送風取入口及び送風排出口を有する消音チャンバ１の組み合わせが検討される。以下の説明では、仮に設定された消音チャンバ１のサイズを仮サイズという。検討段階において、ファンと消音チャンバ１の組み合わせによる目標の性能値として、目標騒音低減量及び目標圧力損失値も設定される。
【００４５】
本実施形態に係る換気用のファンと消音チャンバ１との組み合わせ性能のシミュレーション方法は基本的には、換気用のファンと、ファンからの送風が流通する送風取入口１ａと送風排出口１ｂの間のいずれかの配置位置Ｉに、これら送風取入口１ａと送風排出口１ｂとを連通する送風経路１ｃに突出して設けられて、当該送風経路１ｃの一部を遮蔽する遮蔽板３を有する消音チャンバ１との組み合わせ性能のシミュレーション方法であって、選択可能な複数のファンに関する送風量及び送風時の発生音のファンデータと；送風取入口１ａのサイズ及び送風排出口１ｂのサイズを含む消音チャンバ１のサイズが、変更可能に所定ピッチで複数設定されたチャンバデータと；遮蔽板３の配置位置Ｉ及び当該配置位置における送風経路１ｃの遮蔽面積比が、変更可能に所定ピッチで複数設定された遮蔽板関連データと；ファンデータ、チャンバデータ及び遮蔽板関連データの相互の組み合わせに対応づけされた圧力損失値及び騒音低減量の性能値データと；からなる予め作成されたデータベースを用い、シミュレーション対象となるファン及び消音チャンバ１のファンデータ及びチャンバデータに対して、遮蔽板３の遮蔽板関連データが参照されて、これらファンと消音チャンバ１との組み合わせ性能として性能値データが抽出されるようになっている。
【００４６】
騒音低減量と圧力損失値が図３（ａ）の傾向を呈する場合を想定して、シミュレーション対象となるファン及び消音チャンバ１のファンデータ及びチャンバデータに基づいて性能値データから抽出された圧力損失値及び騒音低減量のうち、圧力損失値が目標圧力損失値よりも小さく、騒音低減量が目標騒音低減量よりも小さいときには、引き続き、第１工程で、遮蔽板関連データに基づき、遮蔽板３を、消音チャンバ１の送風取入口１ａと送風排出口１ｂの間の中央に配置して遮蔽面積比を所定ピッチで変更したときの圧力損失値及び騒音低減量が性能値データから抽出され、次いで、第１工程で抽出された複数の騒音低減量のいずれかが目標騒音低減量よりも大きいときには、その後、第２ａ工程において、第１工程で抽出された騒音低減量が目標騒音低減量を満足する最小遮蔽面積比について、遮蔽板関連データに基づき、遮蔽板３の配置位置Ｉを所定ピッチで変更したときの圧力損失値が性能値データから抽出されるようになっている。
【００４７】
また、騒音低減量と圧力損失値が図３（ｂ）の傾向を呈する場合を想定して、シミュレーション対象となるファン及び消音チャンバ１のファンデータ及びチャンバデータに基づいて性能値データから抽出された圧力損失値及び騒音低減量のうち、圧力損失値が目標圧力損失値よりも小さく、騒音低減量が目標騒音低減量よりも小さいときには、引き続き、第１工程で、遮蔽板関連データに基づき、遮蔽板３を、消音チャンバ１の送風取入口１ａと送風排出口１ｂの間の中央に配置して遮蔽面積比を所定ピッチで変更したときの圧力損失値及び騒音低減量が性能値データから抽出され、次いで、第１工程で抽出された複数の騒音低減量のいずれかが目標騒音低減量よりも大きいときには、その後、第２ｂ工程において、第１工程で抽出された騒音低減量が目標騒音低減量を満足する全ての遮蔽面積比について、遮蔽板関連データに基づき、遮蔽板３の配置位置Ｉを所定ピッチで変更したときの騒音低減量と圧力損失値が性能値データから抽出されるようになっている。
【００４８】
第２ａ工程または第２ｂ工程で抽出された複数の圧力損失値のうち、目標圧力損失値よりも小さい最小の圧力損失値に対し、送風量の小さい他の換気用のファンに選択し直してシミュレーション処理がなされ、送風量が最小の換気用のファンが抽出されてシミュレーション処理が終了されるようになっている。
【００４９】
第２ａ工程または前記第２ｂ工程で抽出された複数の圧力損失値がいずれも目標圧力損失値よりも大きい場合には、送風量の大きい他の換気用のファンに選択し直してシミュレーション処理がなされるようになっている。
【００５０】
第１工程で抽出された騒音低減量が目標騒音低減量よりも小さい場合には、その後、第３工程において、第１工程で抽出された圧力損失値が目標圧力損失値を満足する最大遮蔽面積比について、遮蔽板関連データに基づき、遮蔽板３の配置位置を所定ピッチで変更したときの騒音低減量が性能値データから抽出されるようになっている。
【００５１】
第３工程で抽出された複数の騒音低減量のいずれかが目標騒音低減量よりも大きいときには、シミュレーション処理が終了され、第３工程で抽出された複数の騒音低減量がいずれも目標騒音低減量よりも小さい場合には、送風量の小さい他の換気用のファンに選択し直してシミュレーション処理がなされるようになっている。
【００５２】
さらに、第２ａ工程と第２ｂ工程とが順次に実行される場合もある。
【００５３】
具体的には、本実施形態に係るシミュレーション方法によってファン及び消音チャンバ１の組合せ性能値をシミュレーションする場合には、シミュレーション対象となる仮の換気用のファンの性能（送風量と発生音）と消音チャンバ１の本体部２の幅、高さ及び奥行きと、送風取入口１ａ及び送風排出口１ｂの高さについて仮サイズが決められると共に、目標騒音低減量及び目標圧力損失値が決められ、以下の初期性能確認工程から実行される。
【００５４】
以下に説明するシミュレーション方法では、ファンと消音チャンバ１との組み合わせ性能を検討するにあたり、ファンの設定変更を先に行うようにし、最適なファンがない場合に、消音チャンバ１の設定変更を行うようにしている。
【００５５】
図５は、初期性能確認工程の処理を示すフローチャートである。図５に示すように、この工程では、まず、シミュレーション方法を実現するためのプログラムが実行されるコンピュータに、データベースから、シミュレーション対象となる消音チャンバ１の仮サイズ（チャンバデータの「サイズ値」）が読み込まれる（ＳＴＥＰ１）。次に、データベースから、シミュレーション対象となる換気用のファン（仮に選択したもの）のファン性能（ファンデータの「ファン性能値」）が読み込まれる（ＳＴＥＰ２）。また、目標騒音低減量及び目標圧力損失値がコンピュータに、その入力部から入力される（ＳＴＥＰ３）。入力後、シミュレーション処理が開始される。
【００５６】
吸音材データベースから、本体部２内に設けられる、また必要に応じて遮蔽板３に設けられる吸音材４の種類が読み出され、選択操作で決定された吸音材４の種類や吸音率の情報がコンピュータに取得される（ＳＴＥＰ４）。
【００５７】
読み出された吸音率、シミュレーション対象のファンの「ファン性能値」、シミュレーション対象の消音チャンバ１の本体部２の幅、高さ及び奥行きの仮サイズ、並びに送風取入口１ａ及び送風排出口１ｂの高さの仮サイズである「サイズ値」に基づいて、遮蔽板３が設けられていない消音チャンバ１における「性能値」として、騒音低減量及び圧力損失値がデータベースから抽出される（ＳＴＥＰ５）。
【００５８】
抽出された圧力損失値が目標圧力損失値（図中、圧力損失値との関係で、目標圧力損失値を目標値と表記する）より小さく（ＳＴＥＰ６：ＹＥＳ）、かつ、抽出された騒音低減量が目標騒音低減量（図中、騒音低減量との関係で、目標騒音低減量を目標値と表記する）より大きい（ＳＴＥＰ７：ＹＥＳ）場合、すなわち抽出された圧力損失値及び騒音低減量が目標圧力損失値及び目標騒音低減量を満たしている場合には、例えば、ディスプレイにその旨が表示されてシミュレーション処理が終了する（ＥＮＤ）。
【００５９】
このとき、選択したファンに対して、消音チャンバ１としては、読み込んだ仮サイズの送風取入口１ａ及び送風排出口１ｂを有し、読み込んだ仮サイズの本体部２に吸音材４を設けるだけで、遮蔽板３を設けることなく、目標性能を得ることができるというシミュレーション結果が得られる。
【００６０】
抽出された圧力損失値が目標圧力損失値より大きいとき（ＳＴＥＰ６：ＮＯ）には、ファンの性能が小さすぎる（送風量が少なすぎる）。この場合には、消音チャンバ１に対して大きなファン性能のファンを選択し直す必要があり、現在のファンが選択できる最大のファンであるか否かが判断される（ＳＴＥＰ８）。最大のファンである（ＳＴＥＰ８：ＹＥＳ）場合には、消音チャンバ１のサイズ値が変更され（ＳＴＥＰ１）、再度上記の手順が実行される。最大のファンでない（ＳＴＥＰ８：ＮＯ）場合には、ファン性能の高い新しいファンに設定が変更され（ＳＴＥＰ９）、新しいファンのファン性能値がデータベースから読み込まれ（ＳＴＥＰ２）、再度上記の手順が実行される。
【００６１】
抽出された圧力損失値が目標圧力損失値より小さい（ＳＴＥＰ６：ＹＥＳ）が、抽出された騒音低減量が目標騒音低減量より小さい場合（ＳＴＥＰ７：ＮＯ）には、第１工程に移行する。
【００６２】
ここまでの処理では、遮蔽板３の無い消音チャンバ１とファンについて、まず、圧力損失値が目標圧量損失値を満足しない（ＳＴＥＰ６：ＮＯ）場合には、騒音低減量を検討するまでもなく、ファンの選択をし直す、ファンが選択できない場合には、消音チャンバのサイズ値を変更して設定をし直すこととしている。
【００６３】
目標圧力損失値を満足した（ＳＴＥＰ６：ＹＥＳ）場合には、次に、騒音低減量の検討を行い、騒音低減量が目標騒音低減量を満足しない（ＳＴＥＰ７：ＮＯ）場合には、遮蔽板３のある消音チャンバ１について、第１工程で遮蔽板関連データのうち、遮蔽面積比を考慮に入れた検討がさらに行われる。
【００６４】
もちろん、遮蔽板３の無い消音チャンバ１とファンについて、圧力損失値及び騒音低減量が目標圧力損失値及び目標騒音低減量を満たしている（ＳＴＥＰ７：ＹＥＳ）場合には、シミュレーションは終了する（ＥＮＤ）。
【００６５】
図６は、第１工程の処理を示すフローチャートである。第１工程では、データベースから、ＳＴＥＰ１で設定された消音チャンバ１の本体部２の幅、高さ及び奥行きの仮サイズ、送風取入口１ａ及び送風排出口１ｂの高さの仮サイズに対応したデータであって、さらに、遮蔽板３の配置位置Ｉが送風取入口１ａ及び送風排出口１ｂの中央である場合について、各面積比パラメータの各遮蔽面積比に対応した騒音低減量及び圧力損失値が抽出される（ＳＴＥＰ１０）。
【００６６】
すなわち、遮蔽板３に関し、送風取入口１ａ及び送風排出口１ｂ間の中央で、遮蔽面積比が０〜１００％までの間の５％毎に、各遮蔽面積比に対応する騒音低減量及び圧力損失値が順次抽出される。
【００６７】
抽出された騒音低減量が、コンピュータにより、目標騒音低減量と比較される（ＳＴＥＰ１１）。遮蔽面積比０〜１００％の間の５％おきの遮蔽面積比に対応付けられた騒音低減量のいずれかが目標騒音低減量を満たしている場合（ＳＴＥＰ１１：ＹＥＳ）には、第２ａ工程に移行する。
【００６８】
遮蔽面積比０〜１００％の間の５％おきの遮蔽面積比に対応付けられた騒音低減量が目標騒音低減量を満たしていない場合（ＳＴＥＰ１１：ＮＯ）には、第３工程に移行する。
【００６９】
第１工程で、遮蔽板３の遮蔽面積比（送風取入口１ａと送風排出口１ｂの中央）を考慮して騒音低減量を検討すると、遮蔽板３があることにより、圧力損失値が変わる。第２ａ工程では、騒音低減量が目標騒音低減量を満たしていることを条件に、圧力損失値の見直しを行う。これに対し、第３工程では、先の初期性能確認工程で圧力損失値が目標圧力損失値を満たしていたことを踏まえて、依然として騒音低減量が目標騒音低減量を満たさないため、遮蔽板関連データをさらに検討する意味で、騒音低減量及び圧力損失値の見直しを行う。
【００７０】
図７は、第２ａ工程の処理を示すフローチャートである。第２ａ工程は、騒音低減量が目標騒音低減量を満足しているときに、圧力損失値が目標圧力損失値よりも大きくなっている場合の検討を支援する。騒音低減量が目標騒音低減量を満たしている状態で、最小の圧力損失値を見出し、当該圧力損失値が目標圧力損失値を満足している場合には、さらにファンの性能を小さくできるか否かが検討される。他方、満足する圧力損失値が見出せない場合には、ファンの性能を大きくした設定で、再度の検討が行われるように支援する。
【００７１】
第２ａ工程では、第１工程のＳＴＥＰ１１で、騒音低減量が目標騒音低減量を満たした、送風取入口１ａと送風排出口１ｂの中央位置における最小遮蔽面積比について、遮蔽板３の位置を中央から数ピッチ分移動したときの騒音低減量をデータベースから抽出する（ＳＴＥＰ１２）。この処理により、遮蔽板３の配置位置Ｉを、送風取入口１ａ及び送風排出口１ｂの中央を基準位置として、当該基準位置から送風取入口１ａ側及び送風排出口１ｂ側のいずれに向かって移動させた方が、騒音低減量が大きくなるかを確認する。
【００７２】
具体的にはＳＴＥＰ１２では、データベースから、消音チャンバ１の仮サイズに対応しかつ遮蔽板３が最小遮蔽面積比であることを前提条件に、遮蔽板３の配置位置Ｉを中央（０）から、送風取入口１ａ側及び送風排出口１ｂ側にそれぞれ、例えば５ピッチ程度の位置、すなわち２５ｃｍ間隔で配置したときの騒音低減量を抽出する。
【００７３】
抽出した騒音低減量に基づき、遮蔽板３の配置位置Ｉを、送風取入口１ａ側及び送風排出口１ｂ側のうち、いずれの側に配置した方が騒音低減量をより大きくできるかを判定する（ＳＴＥＰ１３）。これにより、今後の検討で、遮蔽板３の配置位置Ｉを上記中央から動かしても、騒音低減量が小さくなることはない。
【００７４】
ここでは、遮蔽板３を送風取入口１ａ側に配置する例（ＳＴＥＰ１３：ＹＥＳ）について説明するが、送風排出口１ｂ側に配置する場合は、遮蔽板３を配置する位置が反対方向に移動するだけであり、他の処理等は変わらないので、図７では同じＳＴＥＰ番号を付して説明を省略する。
【００７５】
遮蔽板３を送風取入口１ａ側に配置する方が、騒音低減量をより大きくできると判定された場合（ＳＴＥＰ１３：ＹＥＳ）、遮蔽板３の配置位置Ｉを送風取入口１ａ及び送風排出口１ｂの中央（０）から送風取入口１ａ側に１ピッチ（５ｃｍ）移動（ＳＴＥＰ１４）したときの圧力損失値がデータベースから抽出される（ＳＴＥＰ１５）。
【００７６】
以後、遮蔽板３の設置位置Ｉを、さらに１ピッチずつ移動（ＳＴＥＰ１６）して、そのときの圧力損失値をデータベースから抽出する（ＳＴＥＰ１５）処理を、遮蔽板３が消音チャンバ１の壁部２ａに到達するまで繰り返す（ＳＴＥＰ１７）。その後、この処理で抽出された圧力損失値の最小値が選択される（ＳＴＥＰ１８）。
【００７７】
次に、圧力損失値の最小値が、目標圧力損失値よりも小さい（ＳＴＥＰ１９：ＹＥＳ）場合には、次に、ファンの性能値の検討に移り、組み合わせるファンとして最小であることを確認して（ＳＴＥＰ２０：ＹＥＳ）シミュレーションを終了する。他方、最小のファンでない（ＳＴＥＰ２０：ＮＯ）場合には、さらに小さいファンに選択し直して（ＳＴＥＰ２１）、ＳＴＥＰ２に戻り、再度シミュレーションを実行する。
【００７８】
上記ＳＴＥＰ１９で、圧力損失値が目標圧力損失値よりも大きい（ＳＴＥＰ１９：ＮＯ）場合には、これが最初の検討結果であるか否かを判定し、最初の検討結果である場合（ＳＴＥＰ２２：ＹＥＳ）には、目標圧力損失値を大きく設定し直せるように、検討しているファンが選択可能な最大のファンであるか否かをチェックするために、ＳＴＥＰ８へ戻る。最初の検討結果でない（ＳＴＥＰ２２：ＮＯ）場合には、前回の検討結果をシミュレーション結果として出力し（ＳＴＥＰ２３）、シミュレーションを終了する。シミュレーションが終了する場合、前回検討したファンが、目標騒音低減量及び目標圧力損失値双方を満足し得る最小のファンであることになる。
【００７９】
以上のように、第２ａ工程では、騒音低減量が増える方向で遮蔽板３を移動して、圧力損失値が最も小さくなる遮蔽板３の配置位置Ｉを検討するようになっている。
【００８０】
図８は、第３工程の処理を示すフローチャートである。第３工程は、第１工程で遮蔽面積比を１００％にしても、騒音低減量が目標騒音低減量を満足しなかった場合の検討を支援する。圧力損失値が目標圧力損失値を満足している状態で、騒音低減量が増加する方向に遮蔽板３を移動させ、目標騒音低減量を満たしたときにシミュレーションを終了する。騒音低減量が目標騒音低減量を満足しないときには、ファンの性能を小さくした設定で、再度の検討が行われるように支援する。
【００８１】
第３工程では、遮蔽板３の遮蔽面積比を、第１工程において圧力損失値が目標圧力損失値を満たした最大遮蔽面積比について、遮蔽板３の位置を中央から数ピッチ分移動したときの騒音低減量をデータベースから抽出する（ＳＴＥＰ２４）。この処理により、遮蔽板３の配置位置Ｉを、送風取入口１ａ及び送風排出口１ｂの中央を基準位置として、当該基準位置から送風取入口１ａ側及び送風排出口１ｂ側のいずれに向かって移動させた方が、騒音低減量が大きくなるかを確認する。
【００８２】
具体的にはＳＴＥＰ２４では、データベースから、消音チャンバ１の仮サイズに対応しかつ遮蔽板３が最大遮蔽面積比であることを前提条件に、遮蔽板３の配置位置Ｉを中央（０）から、送風取入口１ａ側及び送風排出口１ｂ側にそれぞれ、例えば５ピッチ程度の位置、すなわち２５ｃｍ間隔で配置したときの騒音低減量を抽出する。
【００８３】
抽出した騒音低減量に基づき、遮蔽板３の配置位置Ｉを、送風取入口１ａ側及び送風排出口１ｂ側のうち、いずれの側に配置した方が騒音低減量をより大きくできるかを判定する（ＳＴＥＰ２５）。これにより、今後の検討で、遮蔽板３の配置位置Ｉを上記中央から動かしても、騒音低減量が小さくなることはない。
【００８４】
ここでは、遮蔽板３を送風取入口１ａ側に配置する例（ＳＴＥＰ２５：ＹＥＳ）について説明するが、送風排出口１ｂ側に配置する場合は、遮蔽板３を配置する位置が反対方向に移動するだけであり、他の処理等は変わらないので、図８では同じＳＴＥＰ番号を付して説明を省略する。
【００８５】
遮蔽板３を送風取入口１ａ側に配置する方が、騒音低減量をより大きくできると判定された場合（ＳＴＥＰ２５：ＹＥＳ）、遮蔽板３の配置位置Ｉを送風取入口１ａ及び送風排出口１ｂの中央（０）から送風取入口１ａ側に１ピッチ（５ｃｍ）移動（ＳＴＥＰ２６）したときの圧力損失値及び騒音低減量がデータベースから抽出される（ＳＴＥＰ２７）。
【００８６】
以後、遮蔽板３の設置位置Ｉを、さらに１ピッチずつ移動（ＳＴＥＰ２９）して、そのときの圧力損失値及び騒音低減量をデータベースから抽出する（ＳＴＥＰ２７）処理を、遮蔽板３が消音チャンバ１の壁部２ａに到達するまで繰り返す（ＳＴＥＰ３０）。この繰り返し処理の間に、抽出された圧力損失値が目標圧力損失値以下であり、かつ騒音低減量が目標騒音低減量以上であることが判定される（ＳＴＥＰ２８）と、シミュレーションが終了される。他方、繰り返し処理の間に、ＳＴＥＰ２８が満足されない場合には、ファンの性能値の検討（ＳＴＥＰ３１）に移り、組み合わせるファンとして最小である（ＳＴＥＰ３１：ＹＥＳ）ことを確認してシミュレーションを終了する。この場合は、ファンの選択では目標騒音低減量及び目標圧力損失値双方を満足し得ないため、使用しようとするファンとの関係で、消音チャンバ１を全体的に見直す必要があることを意味する。
【００８７】
他方、最小のファンでない（ＳＴＥＰ３１：ＮＯ）場合には、さらに小さいファンに選択し直して（ＳＴＥＰ２１）、ＳＴＥＰ２に戻り、再度シミュレーションを実行する。
【００８８】
図９は、第２ａ工程に代えて、もしくは第２ａ工程に加えて組み込み得る、第２ｂ工程の処理を示すフローチャートである。第２ｂ工程は、第２ａ工程と同様に、騒音低減量が目標騒音低減量を満足しているときに、圧力損失値が目標圧力損失値よりも大きくなっている場合の検討を支援する。騒音低減量が目標騒音低減量を満たしている状態で、最小の圧力損失値を見出し、当該圧力損失値が目標圧力損失値を満足している場合には、さらにファンの性能を小さくできるか否かが検討される。他方、満足する圧力損失値が見出せない場合には、ファンの性能を大きくした設定で、再度の検討が行われるように支援する。
【００８９】
第２ｂ工程では、第１工程のＳＴＥＰ１１で、騒音低減量が目標騒音低減量を満たした、送風取入口１ａと送風排出口１ｂの中央位置における全ての遮蔽面積比について、遮蔽板３の位置を中央から数ピッチ分移動したときの圧力損失値をデータベースから抽出する（ＳＴＥＰ３２）。この処理により、遮蔽板３の配置位置Ｉを、送風取入口１ａ及び送風排出口１ｂの中央を基準位置として、当該基準位置から送風取入口１ａ側及び送風排出口１ｂ側のいずれに向かって移動させた方が、圧力損失値が小さくなるかを確認する。
【００９０】
具体的にはＳＴＥＰ３２では、データベースから、消音チャンバ１の仮サイズに対応しかつ遮蔽板３による騒音低減量が目標騒音低減量以上となる遮蔽面積比であることを前提条件に、遮蔽板３の配置位置Ｉを中央（０）から、送風取入口１ａ側及び送風排出口１ｂ側にそれぞれ、例えば５ピッチ程度の位置、すなわち２５ｃｍ間隔で配置したときの圧力損失値を抽出する。
【００９１】
抽出した圧力損失値に基づき、遮蔽板３の配置位置Ｉを、送風取入口１ａ側及び送風排出口１ｂ側のうち、いずれの側に配置した方が圧力損失値をより小さくできるかを判定する（ＳＴＥＰ３３）。
【００９２】
ここでは、遮蔽板３を送風取入口１ａ側に配置する例（ＳＴＥＰ３３：ＹＥＳ）について説明するが、送風排出口１ｂ側に配置する場合は、遮蔽板３を配置する位置が反対方向に移動するだけであり、他の処理等は変わらないので、図９では同じＳＴＥＰ番号を付して説明を省略する。
【００９３】
遮蔽板３を送風取入口１ａ側に配置する方が、圧力損失値をより小さくできると判定された場合（ＳＴＥＰ３３：ＹＥＳ）、遮蔽板３の配置位置Ｉを送風取入口１ａ及び送風排出口１ｂの中央（０）から送風取入口１ａ側に１ピッチ（５ｃｍ）移動（ＳＴＥＰ３４）したときの騒音低減量と圧力損失値がデータベースから抽出される（ＳＴＥＰ３５）。
【００９４】
以後、遮蔽板３の設置位置Ｉを、さらに１ピッチずつ移動（ＳＴＥＰ３６）して、そのときの騒音低減量と圧力損失値をデータベースから抽出する（ＳＴＥＰ３５）処理を、騒音低減量が目標騒音低減量を満たさなくなるか、あるいは遮蔽板３が消音チャンバ１の壁部２ａに到達するまで繰り返す（ＳＴＥＰ３７）。その後、この処理で抽出された圧力損失値の最小値が選択される（ＳＴＥＰ３８）。
【００９５】
次に、圧力損失値の最小値が、目標圧力損失値よりも小さい（ＳＴＥＰ３９：ＹＥＳ）場合には、次に、ファンの性能値の検討に移り、組み合わせるファンとして最小であることを確認して（ＳＴＥＰ４０：ＹＥＳ）シミュレーションを終了する。他方、最小のファンでない（ＳＴＥＰ４０：ＮＯ）場合には、さらに小さいファンに選択し直して（ＳＴＥＰ４１）、ＳＴＥＰ２に戻り、再度シミュレーションを実行する。
【００９６】
上記ＳＴＥＰ３９で、圧力損失値が目標圧力損失値よりも大きい（ＳＴＥＰ３９：ＮＯ）場合には、遮蔽面積比が１００％に達しているか否かを判定し（ＳＴＥＰ４２）、達している場合（ＳＴＥＰ４２：ＹＥＳ）には、これが最初の検討結果であるか否かを判定し（ＳＴＥＰ４３）、最初の検討結果である場合（ＳＴＥＰ４３：ＹＥＳ）には、検討しているファンが選択可能な最大のファンであるか否かをチェックするために、ＳＴＥＰ８へ戻る。
【００９７】
遮蔽面積比が１００％に達していない場合（ＳＴＥＰ４２：ＮＯ）には、遮蔽面積比を１ピッチ大きくして、ＳＴＥＰ３３に戻って再度シミュレーションを実行する。ＳＴＥＰ４３の判定で、最初の検討結果でない（ＳＴＥＰ４２：ＮＯ）場合には、前回の検討結果をシミュレーション結果として出力し（ＳＴＥＰ４４）、シミュレーションを終了する。この手順でシミュレーションが終了する場合、前回検討したファンが、目標騒音低減量及び目標圧力損失値双方を満足し得る最小のファンであることになる。
【００９８】
以上のように、第２ｂ工程では、第１工程で騒音低減量が目標騒音低減量を満たした全ての遮蔽面積比に対して、圧力損失値が減る方向で遮蔽板３を移動して、騒音低減量が目標騒音低減量を満たし、かつ圧力損失値が最も小さくなる遮蔽板３の配置位置Ｉを検討するようになっている。
【００９９】
ファンと消音チャンバ１の組み合わせ性能は、ファンの送風量や送風時の発生音、本体部２の幅、高さ、奥行き、送風取入口１ａと送風排出口１ｂの大きさ、遮蔽板３による送風経路１ｃの遮蔽面積、及び、遮蔽板３の配置位置Ｉ等、多くの設計要素で左右される。また、消音チャンバ１は、ファンとの兼ね合いを考慮しつつ、騒音低減量と圧力損失値の両立が求められるため、適切なファンと消音チャンバ１の組み合わせを設計することは難しい。
【０１００】
本実施形態に係る換気用のファンと消音チャンバ１との組み合わせ性能のシミュレーション方法によれば、換気用のファンと、ファンからの送風が流通する送風取入口１ａと送風排出口１ｂの間のいずれかの配置位置Ｉに、これら送風取入口１ａと送風排出口１ｂとを連通する送風経路１ｃに突出して設けられて、当該送風経路１ｃの一部を遮蔽する遮蔽板３を有する消音チャンバ１との組み合わせ性能のシミュレーション方法であって、選択可能な複数のファンに関する送風量及び送風時の発生音のファンデータと；送風取入口１ａのサイズ及び送風排出口１ｂのサイズを含む消音チャンバ１のサイズが、変更可能に所定ピッチで複数設定されたチャンバデータと；遮蔽板３の配置位置Ｉ及び当該配置位置Ｉにおける送風経路１ｃの遮蔽面積比が、変更可能に所定ピッチで複数設定された遮蔽板関連データと；ファンデータ、チャンバデータ及び遮蔽板関連データの相互の組み合わせに対応づけされた圧力損失値及び騒音低減量の性能値データと；からなる予め作成されたデータベースを用い、シミュレーション対象となるファン及び消音チャンバ１のファンデータ及びチャンバデータに対して、遮蔽板３の遮蔽板関連データが参照されて、これらファンと消音チャンバ１との組み合わせ性能として性能値データが抽出されるので、ファンデータ、チャンバデータ及び遮蔽板関連データのいずれかを変更した際の騒音低減量と圧力損失値を、容易に短時間で性能データを抽出して、好ましい換気設備の検討を支援することができる。具体的には、コンピュータの入力手段から、シミュレーションしたい換気用のファン、消音チャンバ１のサイズ、遮蔽板３の配置位置Ｉ及び遮蔽面積比を設定したりデータベースから抽出することにより、所望の形状の消音チャンバ１とそれに組み合わせるファンによる組み合わせ性能を容易に確認することができる。従って、本実施形態に係る換気用のファンと消音チャンバとの組み合わせ性能のシミュレーション方法によれば、騒音低減量及び圧力損失値を共に満足し得る換気設備を設計できるように、換気用のファンと消音チャンバ１との組み合わせの検討を支援することができる。
【０１０１】
シミュレーション対象となるファン及び消音チャンバ１のファンデータ及びチャンバデータに基づいて性能値データから抽出された圧力損失値及び騒音低減量のうち、圧力損失値が目標圧力損失値よりも小さく、騒音低減量が目標騒音低減量よりも小さいときには、引き続き、第１工程で、遮蔽板関連データに基づき、遮蔽板３を、消音チャンバ１の送風取入口１ａと送風排出口１ｂの間の中央に配置して遮蔽面積比を所定ピッチで変更したときの圧力損失値及び騒音低減量が性能値データから抽出され、次いで、第１工程で抽出された複数の騒音低減量のいずれかが目標騒音低減量よりも大きいときには、その後、第２ａ工程において、第１工程で抽出された騒音低減量が目標騒音低減量を満足する最小遮蔽面積比について、遮蔽板関連データに基づき、遮蔽板３の配置位置Ｉを所定ピッチで変更したときの圧力損失値が性能値データから抽出されるので、第１工程で騒音低減量が目標騒音低減量よりも大きいことを確認した上で、第２ａ工程では、騒音低減量が増える方向で遮蔽板３を移動して、圧力損失値が最も小さくなる遮蔽板３の配置位置Ｉを検討するようになっていて、圧力損失値と騒音低減値の相関を合理的に検討して、適切な組み合わせ性能の換気設備の設計を支援することができる。
【０１０２】
シミュレーション対象となるファン及び消音チャンバ１のファンデータ及びチャンバデータに基づいて性能値データから抽出された圧力損失値及び騒音低減量のうち、圧力損失値が目標圧力損失値よりも小さく、騒音低減量が目標騒音低減量よりも小さいときには、引き続き、第１工程で、遮蔽板関連データに基づき、遮蔽板３を、消音チャンバ１の送風取入口１ａと送風排出口１ｂの間の中央に配置して遮蔽面積比を所定ピッチで変更したときの圧力損失値及び騒音低減量が性能値データから抽出され、次いで、第１工程で抽出された複数の騒音低減量のいずれかが目標騒音低減量よりも大きいときには、その後、第２ｂ工程において、第１工程で抽出された騒音低減量が目標騒音低減量を満足する全ての遮蔽面積比について、遮蔽板関連データに基づき、遮蔽板３の配置位置Ｉを所定ピッチで変更したときの騒音低減量と圧力損失値が性能値データから抽出されるので、第１工程で騒音低減量が目標騒音低減量よりも大きいことを確認した上で、第２ｂ工程では、圧力損失値が減る方向で遮蔽板３を移動して、騒音低減量が目標騒音低減量よりも大きく、かつ圧力損失値が最も小さくなる遮蔽板３の配置位置Ｉを検討するようになっていて、圧力損失値と騒音低減値の相関を合理的に検討して、適切な組み合わせ性能の換気設備の設計を支援することができる。
【０１０３】
第２ａ工程または第２ｂ工程で抽出された複数の圧力損失値のうち、目標圧力損失値よりも小さい最小の圧力損失値に対し、送風量の小さい他の換気用のファンに選択し直してシミュレーション処理がなされ、送風量が最小の換気用のファンが抽出されてシミュレーション処理が終了されるので、換気設備として、性能の小さいファンの適用についての検討を支援することができる。
【０１０４】
第２ａ工程または第２ｂ工程で抽出された複数の圧力損失値がいずれも目標圧力損失値よりも大きい場合には、送風量の大きい他の換気用のファンに選択し直してシミュレーション処理がなされるので、消音チャンバ１のサイズ変更をすることなく、ファンの選択の面から、換気設備の検討を支援することができる。
【０１０５】
第１工程で抽出された騒音低減量が目標騒音低減量よりも小さい場合には、その後、第３工程において、第１工程で抽出された圧力損失値が目標圧力損失値を満足する最大遮蔽面積比について、遮蔽板関連データに基づき、遮蔽板３の配置位置Ｉを所定ピッチで変更したときの騒音低減量が性能値データから抽出されるので、第３工程により、圧力損失値が目標圧力損失値を満足している状態で、騒音低減量が増加する方向に遮蔽板３を移動させ、目標騒音低減量を満たすか否かを検討することができ、圧力損失値と騒音低減値の相関を合理的に検討して、適切な組み合わせ性能の換気設備の設計を支援することができる。
【０１０６】
第３工程で抽出された複数の騒音低減量のいずれかが目標騒音低減量よりも大きいときには、シミュレーション処理が終了され、第３工程で抽出された複数の騒音低減量がいずれも目標騒音低減量よりも小さい場合には、送風量の小さい他の換気用のファンに選択し直してシミュレーション処理がなされるので、消音チャンバ１のサイズ変更をすることなく、ファンの選択の面から、換気設備の検討を支援することができる。
【０１０７】
コンピュータの記憶部に、吸音材４の種類と吸音率とを対応付けた吸音材データベースを備えているので、消音チャンバ１の内面に設けられる吸音材４による騒音低減効果もシミュレーションすることができる。これにより、異なる吸音材４の性能を比較することができる。
【０１０８】
遮蔽板３の配置位置Ｉをシミュレーションする場合には、送風取入口１ａ及び送風排出口１ｂの中央を基準として、遮蔽板３の配置位置Ｉを、送風取入口１ａ及び送風排出口１ｂのうち、いずれの側に設定した方がより好ましい性能が得られるかを、粗いピッチでシミュレーションし、方向を判定した後に細かいピッチでシミュレーションするようにしているので、よりスピーディに適切な遮蔽板３の配置位置Ｉを得ることができる。
【０１０９】
第２ａ工程及び第２ｂ工程は、第１工程において抽出された騒音低減量と圧力損失値の関係から、いずれかの工程を選択して実行してもよいし、あるいは、これら工程を併用して、第２ａ工程の後に第２ｂ工程を実行したり、第２ｂ工程の後に第２ａ工程を実行するようにしてもよい。
【０１１０】
上記実施形態においては、消音チャンバ１のサイズ、送風取入口１ａと送風排出口１ｂの高さ方向のサイズ及び遮蔽板３の配置位置Ｉに関し、いずれもピッチを５ｃｍとし、遮蔽面積比のピッチを５％としたが、これに限るものではなく、また各々のサイズは互いに異なるピッチであってもよい。また、遮蔽板３が本体部２の下面に立設されている例について説明したが、これに限らず、遮蔽板３は、例えば上面から垂設されていてもよい。
【符号の説明】
【０１１１】
１  消音チャンバ
１ａ  送風取入口
１ｂ  送風排出口
１ｃ  送風経路
２  本体部
３  遮蔽板
Ｉ  配置位置
Ｓａ  送風経路の断面積
Ｓｂ  遮蔽する面積
【図１】
2015141297.tif 000003
【図２】
2015141297.tif 000004
【図３】
2015141297.tif 000005
【図４】
2015141297.tif 000006
【図５】
2015141297.tif 000007
【図６】
2015141297.tif 000008
【図７】
2015141297.tif 000009
【図８】
2015141297.tif 000010
【図９】
2015141297.tif 000011